【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
写真フィルムを備えないデジタル画像収集システムにおいて使用可能な方法であって、
ａ）画像ストリームから、潜在的に１つ以上の顔を含むシーンの、相対的に低い解像度の画像を受信すること；
ｂ）前記画像に少なくとも１つの高品質顔分類器を適用して、相対的に大型又は中型のサイズの顔領域を識別すること；
ｃ）少なくとも１つの弛緩された顔分類器を適用して、前記画像に相対的に小型のサイズの顔領域を識別すること；
ｄ）名目上同じシーンの相対的に高い解像度の画像を受信すること；及び、
ｅ）前記画像の前記より高い解像度のバージョンにおける前記識別された小型のサイズの顔領域に、少なくとも１つの高品質の顔分類器を適用すること；
を含む方法。
【請求項２】
第１のプロセッサーでステップａ）乃至ｃ）を遂行し、別個の第２のプロセッサーでステップｄ）及びｅ）を遂行することを含む請求項１に記載の方法。
【請求項３】
ステップｂ）及びｃ）の各々は、顔サイズ、顔位置、及び、前記画像が前記顔領域又はその付近で顔を含む可能性の表示を含む情報を提供することを含む請求項１記載の方法。
【請求項４】
前記情報に基づく重み付けを生成することをさらに含む請求項３記載の方法。
【請求項５】
前記情報に基づいて、前記画像ストリームにおける後の画像の画像収集パラメーターを調節することを含む請求項３に記載の方法。
【請求項６】
前記調節された画像収集パラメーターは、焦点、露光、及びホワイトバランスの少なくとも１つを含む請求項５に記載の方法。
【請求項７】
前記ストリームにおける前記後の画像は、試写画像である請求項５に記載の方法。
【請求項８】
前記ストリームにおける前記後の画像は、主取得画像である請求項５に記載の方法。
【請求項９】
前記後の画像をユーザに表示することをさらに含む請求項５に記載の方法。
【請求項１０】
前記別個の第２のプロセッサーで前記高い解像度の画像上で付加価値アプリケーションを遂行することをさらに含む請求項２に記載の方法。
【請求項１１】
前記少なくとも１つの高品質顔分類器は、顔を受容するために、相対的に長いカスケード分類器または相対的に高い閾値を備えた分類器を含み、
前記弛緩された顔分類器は、顔を受容するために、相対的に短いカスケード分類器または相対的に低い閾値を備えた分類器を含む請求項１に記載の方法。
【請求項１２】
画像センサーに動作可能に接続された第１のプロセッサーと、
前記第１のプロセッサーに動作可能に接続された第２のプロセッサーと、を含み、
前記第１のプロセッサーは、取得画像を前記第２のプロセッサーに供給するように配置され、前記第２のプロセッサーは、当該画像を格納するように配置され、
前記第１のプロセッサーは、画像ストリームからのシーン（該シーンは潜在的に１つ以上の顔を含む）の相対的に低い解像度の画像に少なくとも１つの高品質顔分類器を適用して、相対的に大型又は中型のサイズの顔領域を識別し、少なくとも１つの弛緩された顔分類器を前記画像に適用して、相対的に小型のサイズの顔領域を識別するように配置され、
前記第２のプロセッサーは、名目上同じシーンの相対的に高い解像度の画像を受信して、前記画像の前記より高い解像度のバージョンにおいて前記識別された小型のサイズの顔領域に、少なくとも１つの高品質顔分類器を適用するように配置された
デジタル画像収集装置。
【請求項１３】
さらに、前記第１のプロセッサーは、顔サイズ、顔位置、及び前記画像が前記顔領域又はその付近で顔を含む可能性の表示、を含む情報を提供するように構成された請求項１２の装置。
【請求項１４】
前記情報に基づく重み付けを生成するための手段をさらに含む請求項１３の装置。
【請求項１５】
前記情報に基づいて、前記画像ストリームにおける後の画像の画像収集パラメーターを調節するための手段をさらに含む請求項１３の装置。
【請求項１６】
前記調節された画像収集パラメーターは、焦点、露光、及びホワイトバランスの少なくとも１つを含む請求項１５の装置。
【請求項１７】
前記ストリームにおける前記後の画像は、試写画像である請求項１５の装置。
【請求項１８】
前記ストリームにおける前記後の画像は、主取得画像である請求項１５の装置。
【請求項１９】
ユーザに前記後の画像を表示するための表示部をさらに含む請求項１５の装置。
【請求項２０】
前記第２のプロセッサー上の前記高い解像度の画像上で付加価値アプリケーションを遂行するための手段をさらに含む請求項１２の装置。
【請求項２１】
前記少なくとも１つの高品質顔分類器は、顔を受容するために、相対的に長いカスケード分類器または相対的に高い閾値を備えた分類器を含み、
前記弛緩された分類器は、顔を受容するために、相対的に短いカスケード分類器または相対的に低い閾値を備えた分類器を含む請求項１２の装置。
【請求項２２】
ａ）  画像ストリームからのシーン（該シーンは潜在的に１つ以上の顔を含む）の相対的に低い解像度の画像を受信するように構成され、さらに、前記画像に少なくとも１つの高品質顔分類器を適用して相対的に大型及び中型サイズの顔領域を識別し、前記画像に少なくとも１つの弛緩された顔分類器を適用して相対的に小型サイズの顔領域を識別するように構成された第１のプロセッサー；及び
ｂ）  名目上同じシーンの相対的に高い解像度の画像を受信するように構成され、さらに、前記画像の前記より高い解像度のバージョンにおける前記識別された小型サイズの顔領域に、少なくとも１つの高品質顔分類器を適用するように構成された第２のプロセッサー；
を含む写真フィルムを備えないデジタル画像収集システム。
【請求項２３】
さらに、前記第１のプロセッサーは、顔サイズ、顔位置、及び前記画像が前記顔領域又はその付近で顔を含む可能性の表示、を含む情報を提供するように構成された請求項２２のシステム。
【請求項２４】
前記情報に基づく重み付けを生成するための手段をさらに含む請求項２３のシステム。
【請求項２５】
前記情報に基づいて、前記画像ストリームにおける後の画像の画像収集パラメーターを調節するための手段をさらに含む請求項２３のシステム。
【請求項２６】
前記調節された画像収集パラメーターは、焦点、露光、及びホワイトバランスの少なくとも１つを含む請求項２５のシステム。
【請求項２７】
前記ストリームにおける前記後の画像は、試写画像である請求項２５のシステム。
【請求項２８】
前記ストリームにおける前記後の画像は、主取得画像である請求項２５のシステム。
【請求項２９】
ユーザに前記後の画像を表示するための表示部をさらに含む請求項２５のシステム。
【請求項３０】
前記第２のプロセッサー上の前記高い解像度の画像上で付加価値アプリケーションを遂行するための手段をさらに含む請求項２２のシステム。
【請求項３１】
前記少なくとも１つの高品質顔分類器は、顔を受容するために、相対的に長いカスケード分類器または相対的に高い閾値を備えた分類器を含み、
前記弛緩された分類器は、顔を受容するために、相対的に短いカスケード分類器または相対的に低い閾値を備えた分類器を含む請求項２２のシステム。
【手続補正２】
【補正対象書類名】明細書
【補正対象項目名】００１２
【補正方法】変更
【補正の内容】
【００１２】
（発明の記述）
請求項１、１２、及び２２で主張されるように、本発明は、デジタル画像収集システムにおいて使用可能な方法、装置、及びシステムを提供する。